(57)【要約】【課題】本考案は、独立して自立可能な傘を提供することを課題とする。【解決手段】本考案に係る傘の石突は、板状の羽部を有し、該羽部で傘の自立を可能とすることを特徴とする。また、石突が羽部材を有し、該羽部材が開閉することにより傘を支えることが可能なことを特徴とする。更に、前記羽部材に固定補助部材が形成されていることにより、羽部材が開いた状態で固定されることを特徴とする。また、羽部材がワンタッチで開閉動可能なように構成されていることが特に好ましい。【選択図】図１
0003140734.tif 000002
【実用新案登録請求の範囲】
【請求項１】
傘の石突（先端部）が板状の羽部を有し、該羽部で傘の自立を可能とすることを特徴とする傘の石突。
【請求項２】
傘の石突が羽部材を有し、該羽部材が開閉することにより傘を支えることが可能なことを特徴とする傘の石突。
【請求項３】
前記羽部材に固定補助部材が形成されていることにより、羽部材が開いた状態で固定されることを特徴とする請求項２に記載の傘の石突。
【請求項４】
前記石突部が、羽部材、棒部材及び蓋部材を有し、該蓋部材が棒部材に固定され、該蓋部材の上下動に合わせて羽部材が開閉することを特徴とする請求項２又は３に記載の傘の石突。
【請求項５】
前記羽部材が閉じている状態で、前記蓋部材を羽部材方向に押し込むことにより羽部材が開いて固定され、該羽部材が開いた状態で前記蓋部材を押し込むことにより羽部材が閉じて固定されることを特徴とする請求項４に記載の傘の石突。
【請求項６】
前記棒部材にスプリング作用を有する部材が装着され、前記蓋部材の上下動を補助する機能を有することを特徴とする請求項４又は５に記載の傘の石突。
【請求項７】
前記蓋部材が内蓋及び外蓋を有し、該内蓋及び外蓋のいずれかが前記棒部材と固定されており、該内蓋及び外蓋が相互に回動可能なことを特徴とする請求項４〜６のいずれか一に記載の傘の石突。
【請求項８】
前記石突部が傘布側に土台部材を有し、前記内蓋が内鉤を有し、該内鉤が該土台部材に形成された溝を移動することにより、前記蓋部材の上下動において、該蓋部材が傘布側及びその対向側で停止することを特徴とする請求項７に記載の傘の石突。
【請求項９】
前記外蓋が外鉤を有し、前記羽部材の内側に形成された溝を移動することにより、羽部材の開閉を補助することを特徴とする請求項７又は８に記載の傘の石突。
【請求項１０】
請求項１〜９のいずれか一に記載の傘の石突を有することを特徴とする、自立可能な傘。
【考案の詳細な説明】
【技術分野】
【０００１】  本考案は傘の石突に関し、より詳しくは傘を独立して自立可能にする石突及び該石突を有する傘に関する。
【背景技術】
【０００２】  従来の傘は、一般に、石突（先端）、シャフト、親骨、傘布（布、ビニール等）及び柄からなる。そして、使用時は柄の部分を握り、不使用時にはそのＵ字型をした柄の部分を何処かに引っ掛けるか、傘立て等に入れる必要がある。すなわち、独立して傘その物が自立することができないため、壁や手すり等の補助がない限り傘を手放なすことができず、常に腕に引っ掛けたり、手に持ったりしていないといけないといった問題がある。【０００３】  また、折り畳み傘の場合には、不使用時にはコンパクトにすることが可能であるが、使用直後に傘を手放したい場合には、ある程度雨に濡れたままの状態で折りたたんでバッグ等にしまう必要があるため、バッグの中が濡れてしまう危険性がある上に、何より手間がかかるといった問題がある。
【考案の開示】
【考案が解決しようとする課題】
【０００４】  本考案は上記問題点に鑑み、傘を独立して自立させることを可能にする傘の石突及び該石突を有する傘を提供することを課題とする。
【課題を解決するための手段】
【０００５】  本考案者は上記課題を解決すべく鋭意検討を重ねた結果、傘の石突（先端）部を開閉可能にして、当該部分により傘を支えることが有効であることを見出し、本考案を完成させた。すなわち、本考案に係る傘の石突及び傘の特徴は以下の通りである。
（１）本考案に係る傘の石突は、傘の石突（先端部）が板状の羽部を有し、該羽部で傘の自立を可能とすることを特徴とする。
（２）本考案に係る傘の石突は、傘の石突が羽部材より構成され、該羽部材が開閉することにより傘が自立可能なように支えることが可能なことを特徴とする。
（３）また、上記（２）に記載の傘の石突において、前記羽部材に固定補助部材が形成されていることにより、羽部材が開いた状態で固定されることを特徴とする。
（４）また、上記（２）又は（３）に記載の傘の石突において、前記石突部が、羽部材、棒部材及び蓋部材を有し、該蓋部材が棒部材に固定され、該蓋部材の上下動に合わせて羽部材が開閉することを特徴とする。
（５）また、上記（４）に記載の傘の石突において、前記羽部材が閉じている状態で、前記蓋部材を羽部材方向に押し込むことにより羽部材が開いて固定され、該羽部材が開いた状態で前記蓋部材を押し込むことにより羽部材が閉じて固定されることを特徴とする。
（６）また、上記（４）又は（５）に記載の傘の石突において、前記棒部材にスプリング作用を有する部材が装着され、前記蓋部材の上下動を補助する機能を有することを特徴とする。
（７）また、上記（４）〜（６）のいずれか一に記載の傘の石突において、前記蓋部材が内蓋及び外蓋を有し、該内蓋及び外蓋のいずれかが前記棒部材と固定されており、該内蓋及び外蓋が相互に回動可能なことを特徴とする。
（８）また、上記（７）に記載の傘の石突において、前記石突部が傘布側に土台部材を有し、前記内蓋が内鉤を有し、該内鉤が該土台部材に形成された溝を移動することにより、前記蓋部材の上下動において、該蓋部材が傘布側及びその対向側で停止することを特徴とする。
（９）また、上記（７）又は（８）に記載の傘の石突において、前記外蓋が外鉤を有し、前記羽部材の内側に形成された溝を移動することにより、羽部材の開閉を補助することを特徴とする。
（１０）本考案に係る自立可能な傘は、上記（１）〜（９）のいずれか一に記載の傘の石突を有することを特徴とする。
【考案の効果】
【０００６】  本考案により、傘を自由に独立して自立させることが可能となる。これにより、不使用時に傘の置き場に困ることがなくなるため、自由に傘を手放せ、必要に応じて両手を開放することが可能となる。
【考案を実施するための最良の形態】
【０００７】  本考案に係る傘の石突は、図１（ｂ）に示すように、石突（先端部）が板状の羽部１を有し、該羽部１で傘全体を支え、傘を自立させることを可能とする。かかる石突の具体的形状は、図２に示すように、羽部２１を有することを特徴とする。また、羽部２１の根元部分に固定補助部材２２が設置されていると、羽部２１が傘全体の重さを支える場合の補強となるため、好ましい。また、羽部は少なくとも三枚以上あれば、傘を支えることが可能である。また、羽部１は、図１及び２に示すように、羽状でなくとも、円盤状であったり、三角形、四角形等、多角形状の平板であったりしてもよい。【０００８】  更に、図２に示す石突のように、羽部が開いた状態で固定されているのではなく、必要に応じて羽部の開閉が可能となっていると、傘の携帯時に羽部が邪魔にならず好ましい。このため、本考案に係る傘の石突は、羽部材より構成され、該羽部材が開閉することにより傘が自立可能なように支えることが可能なことを特徴とする。
図３（ａ）は、石突の羽部材３１が閉じた状態を示し、図３（ｂ）は石突の羽部材３１が閉じた状態を示す概略図である。羽部材３１が開閉動可能なことにより、必要時のみに、各羽部材３１を相互に広がった状態で固定し、傘を自立させることが可能となる。羽部材が開いた状態で固定されるためには、上記同様に、羽部材３１の外側に固定補助部材３２が形成されていることが好ましい。羽部材３１は後述するように自動で開閉するようにされていてもよいし、手動で開閉するように構成されていても良い。手動で開閉する場合には、図３に示すように、羽部材３１がヒンジ３３等により石突本体部に開閉可能なように固定されていればよい。【０００９】  続いて、石突の羽部材が自動で開閉させるための機構について説明する。羽部材の開閉を自動でワンタッチ式に行うためには、本考案に係る傘の石突は、以下の機能及び構成を有することを特徴とする。
すなわち、本考案に係る傘の石突は、図４及び５に示すように、石突部が少なくとも羽部材４１、棒部材４７及び蓋部材４４を有し、棒部材４７は蓋部材４４に固定され、蓋部材４４の上下動に応じて羽部材４１が開閉することを特徴とする。図４（ａ）は石突部の拡大図であり、（ｂ）は羽部材４１を除いた石突部の構成を示す図であり、（ｃ）は羽部材４１が開いた状態を示す図である。また、図５（ａ）は蓋部材４４の構成例示す図であり、図５（ｂ）は蓋部材の外蓋４４ａと内蓋４４ｂの構成例を示す。
これらの部材は、ワンタッチ式で羽部材の開閉を行うことが可能なように、羽部材４１が閉じた状態で、蓋部材４４を羽部材４１方向に押し込む（すなわち石突部を地面に押し付けるように力を加える）ことにより、羽部材４１が開いて固定され、逆に、羽部材４１が開いた状態で蓋部材４４を再度押し込むことにより、羽部材が閉じて固定されることが好ましい。【００１０】  上記ワンタッチ機能を発揮させるための石突部の構成を以下に説明する。
蓋部材４４の上下動は、スプリング機能を有する部材４６を棒部材４７に装着することにより補助されることが好ましい（図４（ｂ））。スプリング機能を有する部材としては、巻きバネが好ましく用いられるが、伸縮機能を発揮する物であれば特に限定されない。
更に、蓋部材４４の上下動及びその固定を制御するために、蓋部材４４が内蓋４４ｂ及び外蓋４４ａを有し、該内蓋４４ｂ及び外蓋４４ａのいずれかが上記棒部材４７と固定されていて、内蓋４４ｂと外蓋４４ａが相互に回動可能であり、内蓋４４ｂには内鉤４８ｂが形成され、該内鉤４４ｂが石突の傘布側に形成された土台部材４５の溝部を移動するようにされていることが好ましい（図５及び図６参照）。そして、蓋部材４４がその上下動において、羽部材４１が開いた状態では蓋部材４４が傘布側で固定され、逆に羽部材が閉じた状態では蓋部材４４が傘布と対向する側で固定されるように制御されることが好ましい。【００１１】  上述のような蓋部材４４の運動を制御するためには、上記土台部材４５に形成される溝が図６及び７のように形成されていればよい。図７では、斜線部が凸部となっており、白抜きの部分が溝を構成している部分である。そして、図中の黒丸は内鉤４８ｂを示すものであり、矢印方向に移動することを表している。その動きについて以下に説明する。【００１２】  まず、上述のごとく蓋部材４４に接着された棒部材４７には巻きバネ等のスプリング機能を有する部材４６が装着されているため、蓋部材４４には常に土台部材４５から遠ざかろうとする力が働いている。このため、図７に示す内鉤（黒丸）にも常に図中下部方向に移動するように力が働いている。したがって、羽部材４１が閉じた状態では、内鉤はａの位置に存在する。そして、蓋部材４４が押し込まれるように力が加えられることにより、すなわち傘を持つ人が傘を自立させようと石突部１を地面等に押し付けることにより、上記巻きバネ４６を縮める方向に力が加わり、内鉤４８ｂはｂの位置へと移動をする。そしてｂの位置において土台部材４５に形成された凸部Ａにぶつかり、更に力が加わることにより凸部Ａの傾斜に沿ってｃ方向へと移動を続ける。ｃの位置では、今度は内鉤４８ｂは土台部材４５に形成された凸部Ｂにぶつかる事によりｄ方向へと移動を続ける。内鉤４８ｂがｄの位置に到達するとこれ以上は内鉤４８ｂは移動をすることができなくなるため、石突部１を地面等に押し付けている人は、これ以上押し込むことができないと限界を感じて力を緩めることとなる。これにより、今度は内鉤４８ｂは巻きバネ４６の力により再び図中下部方向に移動するようになり、ｅ方向へと移動を開始する。そして、ｅの位置で再度凸部Ａにぶつかる事により移動を続けられなくなり、その結果、内鉤４８ｂが固定して形成されている内蓋４８ｂが石突１の傘布側で固定される。このとき羽部材４１は、蓋部材４４の移動によって押されて、開いた状態になっている。【００１３】  続いて、羽部材４１を閉じようとする場合には、羽部材４１が開いた状態で、蓋部材４４を更に押し込むようにと力を加える必要がある。すなわち、傘を持つ人が石突部１を再度地面に押し付けるように力を加える必要がある。これにより、図７中のｅの位置で停止していた内鉤４８ｂ（図７中の黒丸）には、図中上方向に移動するように力が加わるため、ｆの方向へと移動を始める。そして、ｆの位置で凸部Ｂにぶつかり、それ以上移動をすることができなくなる。これにより石突部１を地面等に押し付けていた人は、これ以上押し込むことができないと判断し、力を緩める。これにより内鉤４８ｂは巻きバネ４６等の力により、再び図中下部方向へと移動を開始する。このため、ｇ方向へと移動を開始し、凸部ＡのＺ部分を押しのけてａ方向へと移動する。当該Ｚ部分は、内鉤４８ｂが位置ｇからｆ方向へと逆流をしないようにするためのかえし部分であり、土台部材４５には固着されておらず、図７中の上下方向にたわむことが可能となっている。【００１４】  続いて、蓋部材４４の上下動に連動して、羽部材４１が開閉をする仕組みについて説明する。
本考案に係る自立可能な傘は、蓋部材を構成する外蓋が外鉤４８ａを有し、該外鉤４８ａが羽部材４１の内側に形成された溝４９を移動することにより、羽部材４１の開閉動を補助することを特徴とする。すなわち、羽部材４１は図８に示すような形状をしており、内側には、外鉤４８ａが移動可能なように溝４９が形成されている。
以上の構成及び機能により、石突の羽部材をワンタッチで開閉動させることが可能となる。また、本考案に係る傘は、上記いずれかの石突を有することにより、自立可能であることを特徴とする。
【図面の簡単な説明】
【００１５】
【図１】（ａ）本考案に係る自立可能な傘の羽部材が閉じた状態を示す概略図である。（ｂ）本考案に係る自立可能な傘の羽部材が開いた状態を示す概略図である。
【図２】本考案に係る傘の石突の一例を示す概略図である。
【図３】本考案に係る傘の石突の別の一例を示す概略図である。（ａ）傘の石突の羽部材が閉じた状態を示す概略図である。（ｂ）傘の石突の羽部材が開いた状態を示す概略図である。
【図４】（ａ）本考案に係る傘の石突の更に別の一例を示す概略図である。（ｂ）（ａ）において羽部材を省略した図である。（ｃ）（ａ）の羽部材が開いた状態を示す概略図である。
【図５】蓋部材の構成の一例を示す概略図である。（ａ）蓋部の外蓋と内蓋が合わさった状態を示す概略図である。（ｂ）蓋部の外蓋と内蓋の構成を示す概略図である。
【図６】土台部材の構成の一例を示す概略図である。
【図７】土台部材における内鉤の移動を説明するための図である。
【図８】羽部材の構成の一例を示す概略図である。
【符号の説明】
【００１６】１                石突
２１、３１、４１  羽部
２２、３２、４２  固定補助部材
３３              ヒンジ
４４              蓋部材
４４ａ            外蓋
４４ｂ            内蓋
４５              土台部材
４６              バネ
４７              棒部材
４８ａ            外鉤
４８ｂ            内鉤
４９              溝
【図１】
0003140734.tif 000003
【図２】
0003140734.tif 000004
【図３】
0003140734.tif 000005
【図４】
0003140734.tif 000006
【図５】
0003140734.tif 000007
【図６】
0003140734.tif 000008
【図７】
0003140734.tif 000009
【図８】
0003140734.tif 000010